(57)【特許請求の範囲】
【請求項１】
相手側装置との間で送受信を行う送受信部と、前記送受信時に立ち上げられてバッテリーセーブの解除状態で周波数ロックを行って出力信号を送出する局発部と、前記送受信時に前記送受信部との間で送受信制御信号を授受して該送受信部の動作制御並びに前記局発部へ局発制御信号を送出して該局発部の動作制御を行うと共に、該送受信部に対する該送受信制御信号による動作制御に先立つタイミングで該局発部に対して該局発制御信号により前記バッテリーセーブの解除を行い、且つ予め決定された送受信タイミングに従って該送受信制御信号を送出する無線制御部とを備えた簡易型携帯電話機用端末装置において、前記局発部は、前記周波数ロックの開始時にロック検出信号を前記無線制御部へ出力し、前記無線制御部は、前記ロック検出信号及び前記送受信タイミングの時間差に基づいて前記バッテリーセーブの解除のタイミングである前記局発制御信号の立ち上げを可変設定することを特徴とする簡易型携帯電話機用端末装置。
【発明の詳細な説明】
【０００１】
【発明の属する技術分野】
本発明は、主として局発部のバッテリーセーブの解除のタイミングを可変設定する機能を備えた簡易型携帯電話機用端末装置に関する。
【０００２】
【従来の技術】
近年、この種の簡易型携帯電話機（ＰＨＳ）は、小型で軽量な上、持ち運びが便利なため、急速に普及している。こうした簡易型携帯電話機用端末装置は、例えば図３に示されるように、相手側装置との間で送受信を行う送受信部１３と、送受信時に立ち上げられてバッテリーセーブの解除状態で周波数ロックを行って出力信号Ｓ３を送出する局発部１２と、送受信時に送受信部１３との間で送受信制御信号Ｓ１を授受して動作制御を行うと共に、局発部１２へ局発制御信号Ｓ２を送出して動作制御を行う無線制御部１１とを備えて成っている。
【０００３】
このうち、無線制御部１１は、送受信部１３に対する送受信制御信号Ｓ１による動作制御に先立つタイミングで局発部１２に対して局発制御信号Ｓ２によりバッテリーセーブの解除を行い、且つ予め決定された送受信タイミングに従って送受信制御信号Ｓ１を送出する。
【０００４】
図４は、簡易型携帯電話機用端末装置における動作処理信号のタイミングチャートを示したものである。ここでは、無線制御部１１が自ら予め決定された送受信タイミングに従って出力する送受信制御信号Ｓ１として矩形波が時間ｔにおける時刻ｔ２で立ち上がるｈｉｇｈのタイミングで送受信部１３のアンプ動作を制御すると共に、局発制御信号Ｓ２として矩形波が時間ｔにおける時刻ｔ１（但し、ｔ１＜ｔ２）で立ち上がるｈｉｇｈのタイミングで局発部１２の動作を制御することを示している。こうした制御動作は通話時であれば２．５ｍｓｅｃ毎に繰り返される。
【０００５】
即ち、この簡易型携帯電話機用端末装置では、無線制御部１１による送受信制御信号Ｓ１の立ち上がり時刻ｔ２と局発制御信号Ｓ２の立ち上がり時刻ｔ１との時間差△ｔ（＝ｔ２−ｔ１）を有しているが、この時間差△ｔは無線制御部１１により送受信時に送受信部１３と同時に局発部１２を立ち上げる際、局発部１２がバッテリーセーブの解除状態での周波数ロックに時間を要することにより、局発部１２の動作制御をアンプ動作の制御よりも先立ってその周波数ロック時間分だけ前もって立ち上げておくためのもので、この時間差△ｔを確保するための局発部１２の動作制御のタイミングはアンプ動作のタイミングに対して固定されている。
【０００６】
ところで、局発部１２におけるバッテリーセーブの解除から周波数ロックに至るまでの動作推移時間は、周囲温度，周波数移動量，回路電圧等の影響を受け易く、常に一定とは限らず、条件が悪くなる程時間を要する。このため、送受信時にあらゆる条件を考慮した上で局発部１２の動作推移時間が長くなってもアンプ動作の立ち上げまでに周波数ロックが完了するように、時間差△ｔを余裕を持って局発部１２を立ち上げられるように設定している。
【０００７】
【発明が解決しようとする課題】
上述した簡易型携帯電話機用端末装置の場合、無線制御部において局発部の動作推移時間が長くなってもアンプ動作の立ち上げまでに周波数ロックが完了するように時間差△ｔを余裕を持って局発部を立ち上げられるように設定しているため、通常の使用環境では局発部の立ち上げが必要以上に早くなり、これによって待ち受けや通話時に不合理に電源電流が消費されてしまうという問題がある。
【０００８】
本発明は、このような問題点を解決すべくなされたもので、その技術的課題は、使用環境に応じた局発部の立ち上げが可能であり、待ち受けや通話時に不合理に電源電流が消費されない簡易型携帯電話機用端末装置を提供することにある。
【０００９】
【課題を解決するための手段】
本発明によれば、相手側装置との間で送受信を行う送受信部と、送受信時に立ち上げられてバッテリーセーブの解除状態で周波数ロックを行って出力信号を送出する局発部と、送受信時に送受信部との間で送受信制御信号を授受して該送受信部の動作制御並びに局発部へ局発制御信号を送出して該局発部の動作制御を行うと共に、該送受信部に対する該送受信制御信号による動作制御に先立つタイミングで該局発部に対して該局発制御信号によりバッテリーセーブの解除を行い、且つ予め決定された送受信タイミングに従って該送受信制御信号を送出する無線制御部とを備えた簡易型携帯電話機用端末装置において、局発部は、周波数ロックの開始時にロック検出信号を無線制御部へ出力し、無線制御部は、ロック検出信号及び送受信タイミングの時間差に基づいてバッテリーセーブの解除のタイミングである局発制御信号の立ち上げを可変設定する簡易型携帯電話機用端末装置が得られる。
【００１０】
【発明の実施の形態】
以下に実施例を挙げ、本発明の簡易型携帯電話機用端末装置について、図面を参照して詳細に説明する。
【００１１】
図１は、本発明の一実施例に係る簡易型携帯電話機用端末装置の基本構成をを示したブロック図である。この簡易型携帯電話機用端末装置においても、従来装置の構成と同様に、相手側装置との間で送受信を行う送受信部３と、送受信時に立ち上げられてバッテリーセーブの解除状態で周波数ロックを行って出力信号Ｓ３を送出する局発部２と、送受信時に送受信部３との間で送受信制御信号Ｓ１を授受して送受信部３の動作制御並びに局発部２へ局発制御信号を送出して局発部２の動作制御を行うと共に、送受信部３に対する送受信制御信号Ｓ１による動作制御に先立つタイミングで局発部２に対して局発制御信号Ｓ２によりバッテリーセーブの解除を行い、且つ予め決定された送受信タイミングに従って送受信制御信号Ｓ１を送出する無線制御部１とを備えている。
【００１２】
但し、ここでの局発部２は周波数ロックの開始時にロック検出信号Ｓ４を無線制御部１へ出力し、無線制御部１では送受信部３に対して予め決定された送受信タイミングに従って送出する送受信制御信号Ｓ１による動作制御に先立つタイミングで局発部２に対して局発制御信号Ｓ２によりバッテリーセーブの解除を行う際、ロック検出信号Ｓ４及び送受信タイミングの時間差に基づいてバッテリーセーブの解除のタイミングである局発制御信号Ｓ２の立ち上げを可変設定する。
【００１３】
図２は、この簡易型携帯電話機用端末装置における動作処理信号のタイミングチャートを示したものである。ここでは、無線制御部１が自ら予め決定された送受信タイミングに従って出力する送受信制御信号Ｓ１として矩形波が時間ｔにおける時刻ｔ３で立ち上がるｈｉｇｈのタイミングと局発部２から伝送されるロック検出信号Ｓ４として矩形波が時間ｔにおける時刻ｔ２で立ち上がるｈｉｇｈのタイミングとの時間差△ｔ１（＝ｔ３−ｔ２）を算出した結果に応じてバッテリーセーブの解除のタイミングを可変設定することを示している。因みに、ロック検出信号Ｓ４の矩形波では、立ち上がり時刻ｔ２以外のｈｉｇｈレベル領域における立ち下がり側に識別して図示したような周波数ロックの動作状況が不定な部分が存在する。
【００１４】
具体的に云えば、時間差△ｔ１に十分余裕がある場合、次回の送受信部３のアンプ動作の制御時（通話時であれば２．５ｍｓｅｃ後）に局発部２の動作制御としてバッテリーセーブの解除を遅らせるべく、局発制御信号Ｓ２として矩形波が時間ｔにおける時刻ｔ１（但し、ｔ１＜ｔ２＜ｔ３）で立ち上がるｈｉｇｈのタイミングの立ち上がり時刻ｔ１を後の時刻へとずらすことにより、送受信制御信号Ｓ１の立ち上がり時刻ｔ３及び局発制御信号Ｓ２の立ち上がり時刻ｔ１の時間差△ｔ２（＝ｔ３−ｔ１）と時間差△ｔ１とを短縮させる。
【００１５】
又、周囲温度等の変化により時間差△ｔ１に余裕が無い場合や、或いは時刻ｔ２が時刻ｔ３よりも後の時刻へ移動した場合、次回の送受信部３のアンプ動作の制御時（通話時であれば２．５ｍｓｅｃ後）に局発部２の動作制御としてバッテリーセーブの解除を早めるべく、局発制御信号Ｓ２として矩形波が時間ｔにおける時刻ｔ１（但し、ｔ１＜ｔ２＜ｔ３）で立ち上がるｈｉｇｈのタイミングの立ち上がり時刻ｔ１を前の時刻へとずらすことにより、送受信制御信号Ｓ１の立ち上がり時刻ｔ３及び局発制御信号Ｓ２の立ち上がり時刻ｔ１の時間差△ｔ２と時間差△ｔ１とを長くさせる。
【００１６】
このような動作を繰り返すことにより、電源投入初期時以外はバッテリーセーブの解除のタイミングである局発制御信号Ｓ２の立ち上げが可変設定された上で使用環境に応じた局発部２の立ち上げが可能となり、待ち受けや通話時に不合理に電源電流が消費されることがなくなる。
【００１７】
【発明の効果】
以上に述べた通り、本発明の簡易型携帯電話機用端末装置によれば、局発部で周波数ロックの開始時にロック検出信号を無線制御部へ出力するようにし、無線制御部では送受信部に対して予め決定された送受信タイミングに従って送出する送受信制御信号による動作制御に先立つタイミングで局発部に対して局発制御信号によりバッテリーセーブの解除を行う際、ロック検出信号及び送受信タイミングの時間差に基づいてバッテリーセーブの解除のタイミングである局発制御信号の立ち上げを可変設定するようにしているので、電源投入初期時以外は使用環境に応じた局発部の立ち上げが可能となり、待ち受けや通話時に不合理に電源電流が消費されないことにより回路全体の電源容量が低減化され、その結果として連続待ち受けや連続通話の時間を長くできるようになる。
【図面の簡単な説明】
【図１】本発明の一実施例に係る簡易型携帯電話機用端末装置の基本構成を示したブロック図である。
【図２】図１に示す簡易型携帯電話機用端末装置における動作処理信号のタイミングチャートを示したものである。
【図３】従来の簡易型携帯電話機用端末装置の基本構成を示したブロック図である。
【図４】図３に示す簡易型携帯電話機用端末装置における動作処理信号のタイミングチャートを示したものである。
【符号の説明】
１，１１    無線制御部
２，１２    局発部
３，１３    送受信部
Ｓ１    送受信制御信号
Ｓ２    局発制御信号
Ｓ３    出力信号
Ｓ４    ロック検出信号
【図１】
0003970405.tif 000002
【図２】
0003970405.tif 000003
【図３】
0003970405.tif 000004
【図４】
0003970405.tif 000005